(57)【要約】      （修正有）【課題】加工者がフィッティング状態の調整を容易に好適に行う眼鏡装用画像解析装置、眼鏡装用画像解析方法、及び眼鏡装用画像解析プログラムを提供する。【解決手段】眼鏡を装用した被検者の画像を解析し、被検者の眼鏡装用パラメータを測定するための眼鏡装用画像解析装置１であって、撮影装置によって撮影された眼鏡フレームを装用した被検者の第１装用データと、第１装用データと異なる日時にて撮影装置によって撮影された眼鏡フレームを装用した被検者の第２装用データと、を取得する取得手段と、第１装用データと、第２装用データと、を比較可能に出力する制御手段と、を備える。【選択図】図１
2017181657.tif 000002
【特許請求の範囲】
【請求項１】
眼鏡を装用した被検者の画像を解析し、被検者の眼鏡装用パラメータを測定するための眼鏡装用画像解析装置であって、
撮影装置によって撮影された眼鏡フレームを装用した被検者の第１装用データと、前記第１装用データと異なる日時にて撮影装置によって撮影された前記眼鏡フレームを装用した前記被検者の第２装用データと、を取得する取得手段と、
前記第１装用データと、前記第２装用データと、を比較可能に出力する制御手段と、
を備えることを特徴とする眼鏡装用画像解析装置。
【請求項２】
請求項１の眼鏡装用画像解析装置であって、
前記制御手段は、前記第１装用データと、前記第２装用データと、をモニタに比較可能に表示することを特徴とする眼鏡装用画像解析装置。
【請求項３】
請求項１又は２の眼鏡装用画像解析装置であって、
前記制御手段は、前記第１装用データとして少なくとも第１画像を含め、前記第２装用データとして少なくとも第２画像と、を含めることを特徴とする眼鏡装用画像解析装置。
【請求項４】
請求項１又は２の眼鏡装用画像解析装置であって、
前記制御手段は、前記第１装用データとして第１画像を解析して取得した第１眼鏡装用パラメータを少なくとも含め、前記第２装用データとして第２画像を解析して取得した第２眼鏡装用パラメータを少なくとも含めることを特徴とする眼鏡装用画像解析装置。
【請求項５】
請求項１又は２の眼鏡装用画像解析装置であって、
前記制御手段は、前記第１装用データとして第１画像及び前記第１画像を解析して取得した第１眼鏡装用パラメータを少なくとも含め、前記第２装用データとして第２画像及び前記第２画像を解析して取得した第２眼鏡装用パラメータを少なくとも含めることを特徴とする眼鏡装用画像解析装置。
【請求項６】
請求項１〜５のいずれかの眼鏡装用画像解析装置であって、
前記制御手段は、前記第１装用データと前記第２装用データとを差分処理し、差分データを取得し、前記差分データを出力することによって、前記第１装用データと、前記第２装用データと、を比較可能とすることを特徴とする眼鏡装用画像解析装置。
【請求項７】
眼鏡を装用した被検者の画像を解析し、被検者の眼鏡装用パラメータを測定するための眼鏡装用画像解析方法であって、
撮影装置によって撮影された眼鏡フレームを装用した被検者の第１装用データと、前記第１装用データと異なる日時にて撮影装置によって撮影された前記眼鏡フレームを装用した前記被検者の第２装用データと、を取得する取得ステップと、
前記第１装用データと、前記第２装用データと、を比較可能に出力する制御ステップと、
を備えることを特徴とする眼鏡装用画像解析方法。
【請求項８】
眼鏡を装用した被検者の画像を解析し、被検者の眼鏡装用パラメータを測定するための眼鏡装用画像解析装置において実行される眼鏡装用画像解析プログラムであって、
前記眼鏡装用画像解析装置のプロセッサによって実行されることで、
撮影装置によって撮影された眼鏡フレームを装用した被検者の第１装用データと、前記第１装用データと異なる日時にて撮影装置によって撮影された前記眼鏡フレームを装用した前記被検者の第２装用データと、を取得する取得ステップと、
前記第１装用データと、前記第２装用データと、を比較可能に出力する制御ステップと、
を前記眼鏡装用画像解析装置に実行させることを特徴とする眼鏡装用画像解析プログラム。
【発明の詳細な説明】
【技術分野】
【０００１】
本開示は、眼鏡を製作するために必要な眼鏡装用パラメータを測定するために、撮影画像の解析を行う眼鏡装用画像解析装置、眼鏡装用画像解析方法、及び眼鏡装用画像解析プログラムに関する。
【背景技術】
【０００２】
眼鏡を製作する際に、眼鏡フレームを装用した状態の被検者の顔を撮像装置によって撮影し、その画像から眼鏡を製作するために必要な眼鏡装用パラメータを算出する眼鏡装用画像解析装置が提案されている（特許文献１参照）。加工者は、算出された眼鏡装用パラメータに基づいて眼鏡を製作している。加工者は、眼鏡の製作後、被検者に眼鏡を装用させ、フィッティング状態の調整（眼鏡のかけ具合の調整）をして、眼鏡の製作を完了させている。
【先行技術文献】
【特許文献】
【０００３】
【特許文献１】特開２００７−２１６０４９号公報
【発明の概要】
【発明が解決しようとする課題】
【０００４】
従来、加工者は、眼鏡を完成するために、製作された眼鏡を被検者に装用させ、フィッティング状態の調整を行っている。しかしながら、例えば、フィッティング状態の調整は、加工者の経験に基づいて行っているため、加工者によって調整にバラツキが生じる。
【０００５】
また、従来、加工者がフィッティング状態を確認することは困難であった。このため、例えば、加工者がフィッティング状態を調整した場合であっても、眼鏡を製作するために眼鏡装用パラメータを算出する際におけるフィッティング状態と、眼鏡製作後のフィッティング状態と、が異なってしまう場合があった。この場合、算出した眼鏡装用パラメータに基づいて、眼鏡を製作した場合であっても、眼鏡の機能を効果的に引き出すがことができず、製作した眼鏡を好適に用いることができないことがあった。
【０００６】
また、例えば、加工者が眼鏡のフィッティング状態を確認することは困難であったため、被検者が製作した眼鏡を一定期間使用している間に、眼鏡の製作完了時からフィッティング状態がずれた場合であっても、加工者が眼鏡製作の完了時のフィッティング状態を再現することは困難であった。
【０００７】
本開示は、上記問題点を鑑み、加工者がフィッティング状態の調整を容易に好適に行うことができる眼鏡装用画像解析装置、眼鏡装用画像解析方法、及び眼鏡装用画像解析プログラムを提供することに関する。
【課題を解決するための手段】
【０００８】
上記課題を解決するために、本開示は以下のような構成を備えることを特徴とする。
【０００９】
（１）  本開示の第１態様に係る眼鏡装用画像解析装置は、眼鏡を装用した被検者の画像を解析し、被検者の眼鏡装用パラメータを測定するための眼鏡装用画像解析装置であって、撮影装置によって撮影された眼鏡フレームを装用した被検者の第１装用データと、前記第１装用データと異なる日時にて撮影装置によって撮影された前記眼鏡フレームを装用した前記被検者の第２装用データと、を取得する取得手段と、前記第１装用データと、前記第２装用データと、を比較可能に出力する制御手段と、を備えることを特徴とする。
（２）  本開示の第２態様に係る眼鏡装用画像解析方法は、眼鏡を装用した被検者の画像を解析し、被検者の眼鏡装用パラメータを測定するための眼鏡装用画像解析方法であって、撮影装置によって撮影された眼鏡フレームを装用した被検者の第１装用データと、前記第１装用データと異なる日時にて撮影装置によって撮影された前記眼鏡フレームを装用した前記被検者の第２装用データと、を取得する取得ステップと、前記第１装用データと、前記第２装用データと、を比較可能に出力する制御ステップと、を備えることを特徴とする。
（３）  本開示の第３態様に係る眼鏡装用画像解析プログラムは、眼鏡を装用した被検者の画像を解析し、被検者の眼鏡装用パラメータを測定するための眼鏡装用画像解析装置において実行される眼鏡装用画像解析プログラムであって、前記眼鏡装用画像解析装置のプロセッサによって実行されることで、撮影装置によって撮影された眼鏡フレームを装用した被検者の第１装用データと、前記第１装用データと異なる日時にて撮影装置によって撮影された前記眼鏡フレームを装用した前記被検者の第２装用データと、を取得する取得ステップと、前記第１装用データと、前記第２装用データと、を比較可能に出力する制御ステップと、を前記眼鏡装用画像解析装置に実行させることを特徴とする。
【図面の簡単な説明】
【００１０】
【図１】本実施例に係る眼鏡装用画像解析装置の外観の概略構成図である。
【図２】本実施例に係る眼鏡装用画像解析装置に収納される光学系の概略構成図である。
【図３】側方撮影光学系の概略構成図を示している。
【図４】本実施例の制御系を示すブロック図である。
【図５】本実施例における眼鏡製作の動作の流れについて説明するフローチャートである。
【図６】表示部における表示画面の一例について示す図である。
【図７】撮影画像の解析終了後において表示部上に表示される画面の一例を示す図である。
【図８】フィッティング状態調整の動作について説明するフローチャートである。
【図９】フィッティング状態確認画面の一例を示す図である。
【図１０】撮影画像の解析終了後において表示部上に表示される画面の一例を示す図である。
【発明を実施するための形態】
【００１１】
＜概要＞
以下、本実施形態を図面に基づいて説明する。図１〜図１０を参照して、本実施形態に係る眼鏡装用画像解析装置の構成について説明する。なお、以下の説明において、被検者の左右方向をＸ軸方向、被検者の上下方向をＹ軸方向、被検者の前後方向をＺ軸方向として説明する。
【００１２】
本実施形態において、例えば、眼鏡装用画像解析装置（例えば、眼鏡装用画像解析装置１）は、眼鏡を装用した被検者の画像を解析し、被検者の眼鏡装用パラメータを測定するために用いられる。
【００１３】
例えば、眼鏡装用画像解析装置は、取得手段（例えば、制御部７０）と、制御手段（例えば、制御部７０）と、を備える。例えば、本実施形態において、取得手段と、制御手段と、は兼用される。もちろん、別途、取得手段と、制御手段と、がそれぞれ設けられる構成としてもよい。
【００１４】
例えば、取得手段は、撮影装置（例えば、眼鏡装用画像解析装置１）によって撮影された眼鏡フレームを装用した被検者の第１装用データと、第１装用データと異なる日時にて撮影装置（例えば、眼鏡装用画像解析装置１）によって撮影された眼鏡フレームを装用した被検者の第２装用データと、を取得する。例えば、制御手段は、第１装用データと、第２装用データと、を比較可能に出力する。なお、本実施例には、第１装用データと、第２装用データと、を比較可能に出力する構成を例に挙げているが、２つ以上の装用データを比較可能に出力する構成であってもよい。例えば、第１装用データと、第２装用データと、第３装用データと、を比較可能に出力する構成であってもよい。
【００１５】
このように、例えば、撮影装置によって撮影された眼鏡フレームを装用した被検者の第１装用データと、第１装用データと異なる日時にて撮影装置によって撮影された眼鏡フレームを装用した被検者の第２装用データと、を比較可能に出力することによって、加工者は、被検者のフィッティングの状態を確認することができ、フィッティング状態の調整を容易に好適に行うことができる。また、例えば、上記構成によって、加工者は、眼鏡を製作する際に撮影された装用データと、眼鏡を製作した後の装用データを比較でき、眼鏡を製作前（眼鏡装用パラメータを算出した際）におけるフィッティングの状態を、眼鏡製作後でも容易に再現することが可能となる。また、例えば、上記構成によって、加工者は、被検者が製作した眼鏡を一定期間使用している間に、眼鏡の製作の完了時からフィッティング状態がずれることによって、眼鏡が使用しづらくなった場合であっても、眼鏡製作の完了時のフィッティング状態とのずれを容易に確認することができるため、眼鏡製作の完了時のフィッティング状態を容易に再現することができる。また、例えば、上記構成は、加工者によって異なる日時でフィッティング状態が調整され、撮影された装用パラメータ間の比較を行うことができるため、加工者のフィッティング技術を向上させるために用いることができる。すなわち、加工者自身又はその他の加工者（例えば、熟練の加工者）によって過去にフィッティング状態を調整した際に取得された装用パラメータと、現在において加工者がフィッティング状態を調整した際に取得された装用パラメータと、の比較ができるため、加工者は、装用パラメータ間で、フィッティングの調整に大きなずれが生じていないか確認することができ、加工者に一定のフィッティング状態を再現させるための加工者のフィッティング状態の調整のトレーニングを行うことができる。
【００１６】
例えば、第１装用データ及び第２装用データとしては、眼鏡装用画像解析装置の記憶部（例えば、メモリ７２）に記憶される構成としてもよい。なお、記憶部としては、眼鏡装用画像解析装置に設けられておらず、別途、眼鏡装用画像解析装置の外部に設けられる構成であってもよい。なお、例えば、なお、第１装用データ及び第２装用データとしては、記憶部に記憶されることなく、制御手段の処理が行われる構成としてもよい、
例えば、取得手段としては、眼鏡装用画像解析装置が撮影装置を兼用し、撮影装置によって眼鏡フレームを装用した被検者を撮影することによって、第１装用データ及び第２装用データを取得する構成であってもよい。また、例えば、取得手段としては、第１装用データ及び第２装用データを受信することによって、第１装用データ及び第２装用データを取得する構成であってもよい。この場合、例えば、取得手段は、加工者が操作部（例えば、操作ユニット１０）を操作することによって眼鏡装用画像解析装置に第１装用データ及び第２装用データを入力し、眼鏡装用画像解析装置は入力された第１装用データ及び第２装用データを受信することによって、第１装用データ及び第２装用データを取得する構成であってもよい。また、この場合、例えば、取得手段は、別途異なる装置から転送された第１装用データ及び第２装用データを受信することによって、第１装用データ及び第２装用データを取得する構成であってもよい。
【００１７】
なお、例えば、撮影される第１装用データ及び第２装用データは、少なくとも眼鏡フレームを被検者に装用させて撮影されていればよい。例えば、眼鏡フレームのみを被検者に装用して撮影が行われてもよい。例えば、レンズが取り付けされた眼鏡フレームを被検者に装用して撮影が行われてもよい。例えば、第１装用データと第２装用データの内、一方の装用データにおいては、眼鏡フレームのみを被検者に装用して撮影が行われ、他方の装用データにおいては、レンズが取り付けされた眼鏡フレームを被検者に装用して撮影が行われてもよい。
【００１８】
なお、例えば、第１装用データと第２装用データとを取得する撮影装置としては、同一の撮影装置であってもよい。また、例えば、第１装用データと第２装用データとを取得する撮影装置としては、異なる撮影装置であってもよい。この場合、例えば、異なる撮影装置は、同一の種類（例えば、同一のモデル、同一の装置構造等）の撮影装置が好ましい。
【００１９】
例えば、第１装用データ及び第２装用データは、画像であってもよい。この場合、例えば、制御手段は、第１装用データとして少なくとも第１画像を含め、第２装用データとして少なくとも第２画像と、を含めるようにしてもよい。なお、第１画像と第２画像は、静止画像であってもよいし、動画像であってもよいし、静止画像と動画像との組み合わせであってもよい。例えば、画像としては、正面画像（被検者を正面方向から撮影した画像）、側方画像（被検者を側面方向（例えば、斜め方向も含む）から撮影した画像）、上方画像（被検者を上方向から撮影した画像）、及び下方画像（被検者を下方向から撮影した画像）、等の少なくともいずれかであってもよい。例えば、第１装用データとして少なくとも第１画像が含まれるとともに、第２装用データとして第２画像が含まれることによって、加工者は第１画像と第２画像を比較して、フィッティング状態を確認することができる。加工者は、画像の状態からフィッティング状態を確認することができるため、フィッティング状態をより容易に確認しやすくなる。
【００２０】
例えば、第１装用データ及び第２装用データは、画像を解析することによって算出された眼鏡装用パラメータであってもよい。この場合、例えば、制御手段は、第１装用データとして第１画像を解析して取得した第１眼鏡装用パラメータを少なくとも含め、第２装用データとして第２画像を解析して取得した第２眼鏡装用パラメータを少なくとも含めるようにしてもよい。例えば、第１装用データとして少なくとも第１眼鏡装用パラメータが含まれるとともに、第２装用データとして第２眼鏡装用パラメータが含まれることによって、加工者は第１眼鏡装用パラメータと第２眼鏡装用パラメータを比較して、フィッティング状態を確認することができる。加工者は、測定結果からフィッティング状態を確認することができるため、より詳細にフィッティング状態を確認することができる。これによって、より精度よくフィッティング状態の調整を行うことができる。
【００２１】
例えば、第１装用データ及び第２装用データは、画像及び画像を解析することによって算出された眼鏡装用パラメータであってもよい。この場合、例えば、制御手段は、第１装用データとして第１画像及び第１画像を解析して取得した第１眼鏡装用パラメータを少なくとも含め、第２装用データとして第２画像及び第２画像を解析して取得した第２眼鏡装用パラメータを少なくとも含めるようにしてもよい。例えば、第１装用データとして第１画像と第１眼鏡装用パラメータが含まれるとともに、第２装用データとして第２画像と第２眼鏡装用パラメータが含まれることによって、加工者は第１画像と第１眼鏡装用パラメータと、第２画像と第２眼鏡装用パラメータと、を比較して、フィッティング状態を確認することができる。加工者は、画像と眼鏡装用パラメータの双方を確認しながら、フィッティング状態を確認することができるため、フィッティング状態をより精度よく、より容易に、確認をすることができる。
【００２２】
例えば、第１眼鏡装用パラメータ及び第２眼鏡装用パラメータとしては、撮影装置によって撮影された眼鏡フレームを装用した被検者の画像を解析することによって算出される眼鏡フレーム及び被検者に関するパラメータであってもよい。  例えば、第１眼鏡装用パラメータ及び第２眼鏡装用パラメータは、被検者情報（例えば、瞳孔情報（例えば、瞳孔位置、瞳孔径、瞳孔間距離等）、その他部位位置情報（例えば、鼻位置情報、口位置情報、眉位置情報等）、等）であってもよい。例えば、第１眼鏡装用パラメータ及び第２眼鏡装用パラメータは、眼鏡フレーム情報（例えば、眼鏡フレームの幅、眼鏡フレームの位置（例えば、上端位置、下端位置、左端位置、右端位置、角部位置、等）、眼鏡フレーム前傾角度、等）等が挙げられる。例えば、第１眼鏡装用パラメータ及び第２眼鏡装用パラメータは、被検者情報と眼鏡フレーム情報から算出されるパラメータ（例えば、アイポジション高さ（フィッティングポイント高さ）、眼鏡装用距離、等）であってもよい。
【００２３】
例えば、制御手段が、第１装用データと、第２装用データと、を比較可能に出力する構成としては、制御手段が、第１装用データと、第２装用データと、を印刷する際に、同一の印刷用紙上に印刷する構成であってもよい。
【００２４】
例えば、制御手段が、第１装用データと、第２装用データと、を比較可能に出力する構成としては、制御手段が、第１装用データと第２装用データとを差分処理し、差分データを取得し、差分データを出力することによって、第１装用データと、第２装用データと、を比較可能とする構成であってもよい。例えば、差分データは、眼鏡装用パラメータの差分結果、特定の部位（例えば、眼鏡フレームの所定部位、被検者の所定部位等）の位置ずれ量、の少なくともいずれかであってもよい。なお、位置ずれ量に応じて表示形態（例えば、色、模様、等）を変更して出力するようにしてもよい。このように、例えば、第１装用データと第２装用データとから差分データを取得し、出力することによって、加工者はフィッティング状態のずれを容易に確認することができる。
【００２５】
例えば、制御手段が、第１装用データと、第２装用データと、を比較可能に出力する構成としては、制御手段が、第１装用データと、第２装用データと、をモニタ（例えば、表示部１５）に比較可能に表示する構成であってもよい。なお、例えば、モニタは、種々のモニタ（例えば、眼鏡装用画像解析装置のモニタ、外部装置（例えば、外部ＰＣ、携帯端末等）のモニタ、等）を使用するようにしてもよい。例えば、第１装用データと、第２装用データと、を比較可能に表示することによって、加工者は表示画面上で迅速にフィッティングの状態を確認することができる。また、例えば、フィテッィング状態確認後、再調整を行った後に、表示画面上で、迅速にフィッティングの状態を確認することができる。
【００２６】
なお、例えば、制御手段が、第１装用データと、第２装用データと、を比較可能に出力する構成としては、上記比較可能に出力する構成が併用して実施される構成としてもよい。
【００２７】
例えば、制御手段が、第１装用データと、第２装用データと、をモニタに比較可能に表示する構成としては、第１装用データと第２装用データを同一画面上で並べて表示する構成であってもよい。この場合、例えば、第１装用データを画面上における第１領域（例えば、第１領域６０）に表示し、第２装用データを画面上の第１領域とは異なる第２領域（例えば、第２領域６５）に表示するようにしてもよい。
【００２８】
例えば、制御手段が、第１装用データと、第２装用データと、をモニタに比較可能に表示する構成としては、第１装用データと第２装用データを切り換え可能に表示する構成であってもよい。この場合、例えば、制御手段は、切換信号を受信することによって、第１装用データと、第２装用データと、の切り換えを制御する構成であってもよい。なお、例えば、切換信号の出力は、操作部が操作されることによって出力される構成であってもよい。
【００２９】
例えば、制御手段が、第１装用データと、第２装用データと、をモニタに比較可能に表示する構成としては、第１装用データと、第２装用データと、を重畳表示する構成であってもよい。この場合、例えば、制御手段は、第１装用データと第２装用データとをマッチングさせ、第１装用データと第２装用データとの相対位置を調整する。制御手段は、相対位置の調整後、画像処理により重畳させ、モニタに表示する。なお、重畳表示する構成とは、第１装用データと、第２装用データと、の内少なくとも一部が重畳表示されている構成であってもよい。
【００３０】
なお、例えば、制御手段が、第１装用データと、第２装用データと、をモニタに比較可能に表示する構成としては、なお、上記モニタに比較可能に表示する構成が併用して実施される構成としてもよい。
【００３１】
なお、本開示においては、本実施形態に記載した装置に限定されない。例えば、上記実施形態の機能を行う眼鏡装用画像解析ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【００３２】
＜実施例＞
図１は、本実施例に係る眼鏡装用画像解析装置１の外観の概略構成図である。図２は、本実施例に係る眼鏡装用画像解析装置１に収納される光学系の概略構成図である。以下、図１及び図２を参照して、本実施例に係る眼鏡装用画像解析装置１の構成について説明する。図１に示されるように、眼鏡装用画像解析装置の装置本体３の内部には、後述する種々の測定光学系、駆動系、制御系等が備わる。装置本体３の被検者側には呈示窓６が備わる。呈示窓６は、被検者に固視標を呈示する際に、固視光束を通過させる窓である。同じく装置本体３の被検者側には顔支持ユニット５が備わる。顔支持ユニット５は、被検者の顔を支持するためのユニットである。装置本体３の加工者側には操作ユニット（操作部）１０が備わる。
【００３３】
＜操作ユニット＞
操作ユニット１０は、入力された操作指示に応じた信号を後述する制御部７０に出力する。本実施例における操作ユニット１０は、タッチパネル式の表示部１５が用いられる。すなわち、本実施例においては、操作ユニットと表示部が兼用される。もちろん、操作ユニットと表示部が別に設けられた構成であってもよい。例えば、操作ユニット１０には、マウス、ジョイスティック、キーボード等の操作手段の少なくともいずれかを用いる構成が挙げられる。例えば、表示部１５は、眼鏡装用パラメータ測定装置１の本体に搭載されたディスプレイであってもよいし、本体に接続されたディスプレイであってもよい。もちろん、タッチパネル式でなくともよい。例えば、パーソナルコンピュータ（以下、「ＰＣ」という。）のディスプレイを用いてもよい。また、例えば、複数のディスプレイが併用されてもよい。表示部１５には、撮影された遠方視及び近方視状態の正面画像又は側方画像を含む各種画像が表示されてもよい。
【００３４】
＜顔支持ユニット＞
顔支持ユニット５は、被検者の額を支持する。そして、顔支持ユニット５は、後述する測定光学系（例えば、遠用測定光学系２００，近用測定光学系３００，反射ミラー４１０等）と被検者との距離を一定にする。また、顔支持ユニット５は、被検者の左右方向に回転可能であり、被検者の顔の向きを調整することができる。これによって、被検者の顔の向きが左右方向のいずれかにずれている場合、被検者の顔が正面を向くように、顔支持ユニット５を回転させることができる。
【００３５】
顔支持ユニット５は、当節部３１、作動距離調節部４０、左右回転調節部５０を主に備える。当接部３１は、被検者の顔に接触する部分である。作動距離調節部４０は、被検者と後述の測定光学系との距離を調節するために当接部３１の位置をＺ軸方向に調節する。例えば、本実施例において、加工者によって作動距離調節部４０の調節ノブ４１が操作されることによって、当接部３１のＺ軸方向（作動距離方向）における位置が調節される。水平回旋調節部５０は、被検者の顔が正面を向くように、当接部３１の左右方向の角度を調節する。例えば、本実施例において、加工者によって左右回転調整部５０の調節ノブ５１が操作されることによって、当接部３１の左右方向の位置が調節される。
【００３６】
なお、顔支持ユニット５は本実施形態の構成に限定されない。本実施例においては、被検者の額を支持するものとして説明したが、被検者のあごでもよいし、頬、鼻などでもよい。被検者の顔を支持する構成であればよい。また、本実施例において、顔支持ユニット５は、加工者が調節ノブ４１，５１を操作することによって、当接部３１の位置が調節される構成としたがこれに限定されない。顔支持ユニット５は、モータ等の駆動部を有し、操作ユニット１０の操作等によって、電動で当接部３１の位置が調整される構成としてもよい。
【００３７】
＜光学系＞
次に、図２を参照して、本実施例に係る眼鏡装用画像解析装置１に収納される光学系について説明する。本実施例の眼鏡装用画像解析装置１は、照明光学系１１０、遠用測定光学系２００、近用測定光学系３００、光路切換ユニット４００と、側方撮影光学系５００、を主に備える。もちろん、眼鏡装用画像解析装置１は、上記構成をすべてを備える必要はない。
【００３８】
本実施例において、眼鏡パラメータを測定するために眼鏡を装用した被検者の画像を撮影するための撮影手段を有する測定光学系として、少なくとも、遠用測定光学系２００、近用測定光学系３００のいずれかが用いられる。本実施例において、遠用測定光学系２００、近用測定光学系３００は、被検者の正面画像を撮影するために用いられる。また、側方撮影光学系５００は、被検者の側方画像を撮影するために用いられる。
【００３９】
＜照明光学系＞
照明光学系１１０は、４つの光源１１０Ｒ，１１０Ｌ，１１１Ｒ，１１１Ｌ（図２では、１１０Ｌ、１１１Ｌを省略）を主に備える。照明光学系１１０は、光源１１０Ｒ，１１０Ｌ，１１１Ｒ，１１１Ｌによって、四方向から被検者の顔を照明する。もちろん、照明光学系１００は上記の構成に限らない。光源の数はいくつでもよく、配置も任意でよい。照明光学系１１０は、光源によって被検者の顔を照明することができればよい。例えば、照明光学系１１０は、顔支持ユニット５の下部、呈示窓６の上部に設けられてもよい。
【００４０】
なお、本実施例の照明光学系１１０においては、赤外光源を用いる。赤外光源と、後述する赤外フィルタ等を用いることによって、外乱光（自然光など）の影響を抑えることができる。ただし、赤外光源でなくてもよく、可視光源を用いてもよい。
【００４１】
＜遠用測定光学系＞
図２に基づいて、遠用測定光学系（以下、第１測定光学系とも言う）２００について説明する。遠用測定光学系２００は、眼鏡フレームに対する遠方視状態における被検眼Ｅの眼位置を測定するための光学系である。遠用測定光学系２００は、第１の固視標投影光学系２００ａと第１の撮像光学系２００ｂに分けられる。なお、遠用測定光学系２００の測定光軸を光軸Ｌ１とする。
【００４２】
固視標投影光学系２００ａは、被検者を遠方視状態に固視させるための遠用固視標を被検眼Ｅに投影する。固視標投影光学系２００ａは、光源２２０、ハーフミラー２３０、凹面ミラー２４０を主に備える。光源２２０は、被検眼Ｅに投影される固視標として機能する。凹面ミラー２４０は、光源２２０から出射される固視標光束を略平行光束にして反射する。なお、本実施例においては、光源２２０から出射される固視標光束は、略平行光束にして反射する構成としたがこれに限定されない。光源２２０から出射される固視標光束は、所定の遠用呈示距離になるように反射する構成としてもよい。
【００４３】
光源２２０からの出射された固視標光束は、ハーフミラー２３０によって反射され、光軸Ｌ１と同軸とされる。ハーフミラー２３０によって反射された固視標光束は、凹面ミラー２４０によって反射される。凹面ミラー２４０に反射された固視標光束は、後述する反射ミラー４１０によって反射され、呈示窓６を通過して被検眼Ｅに入射する。凹面ミラー２４０は、固視標光束を略平行光束にするように反射する。このため、被検者から見た固視標は、被検眼Ｅから光源２２０までの実際の距離よりも遠方にあるように見える。その後、固視標光束は、後述の反射ミラー４１０によって反射され、呈示窓６を通過して被検眼Ｅに入射する。
【００４４】
撮像光学系２００ｂは、遠方視状態における被検者の顔を正面方向（被検者の顔の正面と対向した位置）から撮影する。本実施例において、撮像光学系２００ｂは、遠方視状態における被検者の顔を正面位置から撮影する。もちろん、撮像光学系２００ｂは、正面方向として、斜め下方向（斜め下の位置）から撮影する構成としてもよい。なお、被検者の顔とは、被検者の顔全体でなくてもよく、少なくとも被検眼Ｅの周辺領域（例えば、少なくとも左右眼一方の眼及び眼鏡フレームを含む被検者の顔の正面画像であってもよい）を指す。撮像光学系２００ｂは、撮像素子２１０、撮像レンズ２１２、絞り２１４、赤外フィルタ２１６、ハーフミラー２３０、凹面ミラー２４０を主に備える。
【００４５】
照明光学系１１０からの照明光は、被検者の顔によって反射されて、呈示窓６を通過する。呈示窓６を通過した照明光は、反射ミラー４１０によって反射される。反射ミラー４１０によって反射された反射光は、凹面ミラー２４０によって反射された後、ハーフミラー２３０を通り、赤外フィルタ２１６を通過する。赤外フィルタ２１６を通過した赤外光は、絞り２１４を通過し、撮像レンズ２１２によって収束された後、撮像素子２１０の上に像を結ぶ。撮像素子２１０は瞳と共役な位置関係にある。撮像素子２１０は、光を検出し、そのときの検出信号を制御部７０に出力する。
【００４６】
＜近用測定光学系＞
近用測定光学系（以下、第２測定光学系とも言う）３００は、近方視状態における被検眼Ｅの眼位置を測定するための光学系である。近用測定光学系３００は、第２の固視標投影光学系３００ａと第２の撮像光学系３００ｂに分けられる。
【００４７】
固視標投影光学系３００ａは、被検者を近方視状態に固視させるための近用固視標を斜め下方向から被検眼Ｅに投影する。固視標投影光学系３００ａは、光源３２０、ハーフミラー３３０、凸レンズ３４０を主に備える。光源３２０は、被検眼Ｅに投影される固視標として機能する。
【００４８】
光源３２０からの出射された固視標光束は、ハーフミラー３３０によって反射され、光軸Ｌ２と同軸とされる。ハーフミラー３３０によって反射された固視標光束は、凸レンズ３４０を通過し、収束される。その後、固視標光束は、後述の反射ミラー４１０によって反射され、呈示窓６を通過して被検眼Ｅに入射する。
【００４９】
撮像光学系３００ｂは、近方視状態における被検者の顔を正面方向（被検者の顔の正面と対向した位置）から撮影する。なお、本実施例において、撮像光学系３００ｂは、近方視状態における被検者の顔を斜め下方向（斜め下の位置）から撮影している。もちろん、撮像光学系３００ｂは、正面方向として、正面位置から撮影する構成としてもよい。撮像光学系３００ｂは、撮像素子３１０、撮像レンズ３１２、絞り３１４、赤外フィルタ３１６、ハーフミラー３３０、凸レンズ３４０を主に備える。
【００５０】
被検者の顔を照明する照明光学系１１０からの照明光は、呈示窓６を通過し、反射ミラー４１０によって反射される。反射ミラー４１０によって反射された反射光は凸レンズを通過し、収束される。収束されたこの光束は、ハーフミラー３３０を通り、赤外フィルタ３１６を通過する。赤外フィルタ３１６を通過した赤外光は、絞り３１４を通過し、撮像レンズ３１２によって収束された後、撮像素子３１０の上に像を結ぶ。撮像素子３１０は、瞳と共役な位置関係にある。撮像素子３１０は、光を検出し、そのときの検出信号を制御部７０に出力する。
【００５１】
＜光学系移動ユニット＞
近用測定光学系３００は、光学系移動ユニット３５０を備える。光学系移動ユニット３５０は、近用測定光学系３００を移動可能に保持する。光学系移動ユニット３５０は、近用測定のときに、後述する反射ミラー４１０の角度の変更にともなって、近用測定光学系３００の全体を移動させることができる。
【００５２】
ところで、後述する光路切換ユニット４００によって反射ミラー４１０の角度が変更されると、固視標投影光学系３００ａの光路（指標の呈示距離）、及び第２の撮像光学系３００ｂの光路が変化してしまう。そこで、本実施形態の光学系移動ユニット３５０は、反射ミラー４１０の角度の変更にともなって、近用測定光学系３００の全体を移動させる。これによって、反射ミラー４１０の角度が変更された場合であっても、近用視標の呈示距離が維持される。また、第２の撮像光学系３００ｂの被検眼Ｅに対するフォーカス状態が維持される。
【００５３】
また、光学系移動ユニット３５０は、呈示距離を調節するための凸レンズ３４０と、固視標を投影するための光源３２０を別々に移動させることが可能である。これによって、光学系移動ユニット３５０は、凸レンズ３４０と光源３２０の相対的な距離を変化させ、固視標の呈示距離を変更することができる。なお、光学系移動ユニット３５０は、例えば、モータや等の図示無き駆動部を用いて、駆動部を駆動させることによって、光学部材を移動させる。
【００５４】
＜光路切換ユニット＞
図２に戻って、光路切換ユニット４００について説明する。光路切換ユニットは、遠用測定用光学系２００と、近用測定用光学系３００の光路を切り換える。また、光路切り換えユニット４００は、近用測定時における被検者の視線方向を変化させる。
【００５５】
光路切換ユニット４００は、反射ミラー４１０、ミラー保持部４２０、駆動部４４０を主に備える。
【００５６】
反射ミラー４１０は、ミラー保持部４２０に保持される。ミラー保持部４２０の上部は、装置に固定された回転シャフト４２５に保持される。ミラー保持部４２０は、回転シャフト４２５の回転軸を中心に回旋可能とされる。このとき、ミラー保持部４２０は、反射ミラー４１０と一体的に回旋される。反射ミラー４１０は、遠用測定光学系２００または近用測定光学系３００から出射される視標光束を被検眼Ｅに向けて反射させる。駆動部４４０は、図示無きリンク機構部によって、ミラー保持部４２０の裏面と連結される。駆動部４４０が駆動されることによって、駆動部の駆動力が図示無きリンク機構部を介して、ミラー保持部４２０に伝達される。ミラー保持部４２０は、リンク機構部から伝達された駆動力によって回転シャフト４２５を中心に回旋される。ミラー保持部が回旋されることによって、回転シャフト４２５を中心に、反射ミラー４１０が回旋移動をする。
【００５７】
反射ミラー４１０が回旋されることによって、視標光束の光路が変更され、被検眼Ｅに投影される固視標の呈示位置が変更される。固視標の呈示位置が変更されることで、被検者の視線方向が変更される。例えば、反射ミラーをＡ方向に回転させる（実線部から点線部へ移動される）ことによって、被検者の撮影を行うための光路が、遠用測定用光学系２００の光路から近用測定用光学系３００の光路へと切り換えられる。このように、光路切換ユニット４００は、反射ミラー４１０を回旋させることで固視標の呈示位置を変化させ、被検者の視線方向を上下方向に変化させる。
【００５８】
＜側方撮影光学系＞
図３は、側方撮影光学系５００の概略構成図を示している。側方撮影光学系５００は、被検者を側方から撮影することによって被検者の側方画像を取得する。図３に示されるように、側方撮影光学系５００は、被検者の顔が支持される位置の左右方向に固定されている。
【００５９】
本実施例の側方撮影光学系５００は、被検者の左側に配置される左方撮影光学系５００Ｌと、被検者の右側に配置される右方撮影光学系５００Ｒに大別される。左方撮影光学系５００Ｌは被検者を左側方から撮影する。右方撮影光学系５００Ｒは、被検者を右側方から撮影する。
【００６０】
左方撮影光学系５００Ｌは、ハーフミラー５３０Ｌ、赤外フィルタ５４０Ｌ、絞り５５０Ｌ、撮像レンズ５６０Ｌ、撮像素子５７０Ｌ、を主に備える。
【００６１】
同様に、右方撮影光学系５００Ｒは、ハーフミラー５３０Ｒ、赤外フィルタ５４０Ｒ、絞り５５０Ｒ、撮像レンズ５６０Ｒ、撮像素子５７０Ｒ、を主に備える。なお、以下の説明においては、便宜上、赤外フィルタ５４０Ｌ，５４０Ｒ、絞り５５０Ｌ，５５０Ｒ、撮像レンズ５６０Ｌ，５６０Ｒ、撮像素子５７０Ｌ，５７０Ｒの各部材をまとめて、撮像部５７５Ｌ，５７５Ｒと記載する。
【００６２】
赤外フィルタ５４０Ｌ，５４０Ｒは可視光を吸収し、赤外光を通過させる。撮像素子５７０Ｌ，５７０Ｒには、赤外フィルタ５４０Ｌ，５４０Ｒを通過した赤外光が受光される。
【００６３】
以下、左方撮影光学系５００Ｌを例に挙げて側方画像の撮像について説明する。照明光学系１００からの照明光束は、被検者の顔と眼鏡フレームＦに反射される。反射された照明光束は、左方撮影光学系５００Ｌに入射する。その後、照明光束は、ハーフミラー５３０Ｌによって反射される。ハーフミラー５３０Ｌによって反射された反射光束は、赤外フィルタ５４０Ｌを通過する。赤外フィルタ５４０Ｌを通過した赤外光は、絞り５５０Ｌを通過した後、撮像レンズ５６０Ｌによって集光され、撮像素子５７０Ｌの撮像面上に像を結ぶ。撮像素子５７０Ｌは、検出した撮像画像を制御部７０に送信する。このようにして、撮像素子５７０Ｌには、被検者の左側の側方画像が撮像される。また、左方撮影光学系５００Ｌと同様にして、右方撮影光学系５００Ｒによって、被検者の右側の側方画像が撮像される。
【００６４】
＜制御部＞
図４は本実施例の制御系を示すブロック図である。制御部７０は、ＣＰＵ（プロセッサ）、ＲＡＭ、ＲＯＭ等を備える。制御部７０のＣＰＵは、眼鏡装用画像解析装置１の制御を司る。ＲＡＭは、各種情報を一時的に記憶する。制御部７０のＲＯＭには、眼鏡装用画像解析装置１の動作を制御するための各種プログラム、初期値等が記憶されている。
【００６５】
制御部７０には、不揮発性メモリ（以下、メモリに省略する）７２、操作ユニット１０、光源１１０Ｌ，１１０Ｒ，１１１Ｌ，１１１Ｒ，２２０，３２０、撮像素子２１０，３１０，５７０Ｌ，５７０Ｒ、光学系移動ユニット３５０の駆動部、駆動部４４０、等が電気的に接続されている。
【００６６】
メモリ７２は、電源の供給が遮断されても記憶内容を保持できる非一過性の記憶媒体である。例えば、ハードディスクドライブ、フラッシュＲＯＭ、および、眼鏡装用画像解析装置１に着脱可能に装着されるＵＳＢメモリ等をメモリ７２として使用することができる。メモリ７２には、眼鏡装用画像解析装置１による遠方視画像（遠方視状態における正面画像）又は近方視画像（近方視状態における正面画像）、側方画像の撮影を制御するための撮影制御プログラム、遠方視画像又は近方視画像、側方画像を処理する画像処理プログラムが記憶されている。また、メモリ７２には、撮影された遠方視画像又は近方視画像、側方画像の撮影位置の情報等、撮影に関する各種情報が記憶される。操作ユニット１０には、加工者による各種操作指示が入力される。
【００６７】
＜眼鏡製作動作＞
以下、本実施例における眼鏡装用画像解析装置を用いた眼鏡製作の動作について、図５を参照して、説明する。図５は、本実施例における眼鏡製作の動作の流れについて説明するフローチャートである。なお、本実施例においては、画像及び眼鏡装用パラメータの取得制御については、遠方視状態の被検者の画像から眼鏡装用パラメータを取得する場合を例に挙げて説明する。なお、近方視状態の被検者についても遠用視状態の制御と同様の制御によって、画像及び眼鏡装用パラメータの取得が行われてもよい。
【００６８】
例えば、本実施例においては、眼鏡装用画像解析装置によって撮影された眼鏡フレームを装用した被検者の第１装用データと、第１装用データと異なる日時にて眼鏡装用画像解析装置によって撮影された眼鏡フレームを装用した被検者の第２装用データと、を取得し、第１装用データと、第２装用データと、を比較可能に出力する。なお、本実施例においては、第１装用データ及び第２装用データとしては、画像及び画像を解析することによって算出された眼鏡装用パラメータを用いる場合を例に挙げて説明する。
【００６９】
＜眼鏡フレーム選択（Ｓ１）＞
例えば、被検者は、種々の眼鏡フレームの中から所望する眼鏡フレームを選択する（Ｓ１）。なお、眼鏡フレームは、眼鏡レンズ（例えば、デモレンズ等）が取り付けられているものであってもよいし、眼鏡レンズを有していないものであってもよい。
【００７０】
＜フィッティング状態調整（Ｓ２）＞
次いで、例えば、加工者は、被検者が選択した眼鏡フレームを被検者に装用させる。例えば、加工者は、被検者が眼鏡フレームを装用した後、眼鏡フレームと被検者との相対位置を変更することよってフィッティング状態の調整を行う（Ｓ２）。例えば、加工者は、眼鏡フレームの鼻当て位置と被検者の鼻位置との関係を調整するとともに、眼鏡フレームのテンプル位置と被検者の耳位置との関係を調整する。なお、フィッティング調整において、眼鏡レンズを変形させて、調整を行うようにしてもよい。
【００７１】
＜アライメント調整（Ｓ３）＞
例えば、フィッティング調整完了後、加工者は被検者を撮影するための調整を行う。例えば、加工者は操作ユニット１０を操作し、遠用撮影モードに設定する。例えば、遠用撮影モードでは、遠方視状態の被検者の画像を撮影するために、各種光学系の制御が制御部７０によって行われる。
【００７２】
例えば、遠用撮影モードに設定された場合、制御部７０は、駆動部４４０の駆動を制御することによって、光学切換ユニット４００の反射ミラー４１０の角度θを、遠用撮影モードに対応する角度（例えば、水平面（ＸＺ平面）方向に対して４０°等）に設定する。遠用撮影モードに対応する角度に傾斜された反射ミラー４１０によって、光源２２０からの固視標光束は、被検眼Ｅに対して水平に投光される。
【００７３】
加工者は、被検者を顔支持ユニット５に位置させる。加工者は、眼鏡装用画像解析装置１に対して被検者の顔が所定位置に配置されるように顔支持ユニット５の調整を行う。すなわち、加工者は、アライメント調整を行う（Ｓ３）。
【００７４】
図６は、表示部１５における表示画面の一例について示す図である。例えば、本実施例においては、被検眼Ｅの角膜頂点を表示部１５上の所定位置に表示させるように、被検者と眼鏡装用画像解析装置１の距離が調節される。なお、本実施例においては、側方撮影光学系５００によって撮影された画像の中心を示すための基準線Ｖ，Ｈが表示部１５の側方画面上に表示される。本実施形態では、基準線Ｖ，Ｈの交点と角膜頂点とが合致されたとき、アライメント位置が適正となるように設定されている。加工者は、表示部１５に表示された被検者の顔（被検顔）の画像を確認し、アライメントを行う。
【００７５】
＜画像取得（Ｓ４）＞
被検者のアライメント調整が完了すると、加工者は、表示部１５に表示された図示無き撮影ボタンをタッチする。撮影ボタンがタッチされると、制御部７０は、遠方視状態の被検者の画像（正面画像及び側方画像）を撮影する（Ｓ４）。以上のようにして、遠方視状態の画像が取得される。
【００７６】
＜画像解析処理（Ｓ５）及び眼鏡装用パラメータ取得（Ｓ６）＞
例えば、画像が取得されると、制御部７０は、取得した画像の解析処理を行う（Ｓ５）。例えば、制御部７０は、画像解析において、眼鏡のフレーム情報や被検者の瞳孔情報等を検出する。そして、制御部７０は、検出結果に基づいて、眼鏡フレームに対する被検眼Ｅの眼鏡装用パラメータを算出する（Ｓ６）。なお、本実施例においては、画像が取得されると、画像の解析が開始される構成としたがこれに限定されない。例えば、加工者によって解析の開始が設定される構成としてもよい。例えば、加工者は、操作ユニット１０を操作し、図示無き画像解析モードを選択する。加工者によって画像解析モードが選択されると、制御部７０は、画像の解析処理を開始する。
【００７７】
以下、解析処理方法について説明する。例えば、初めに、制御部７０は、被検者の画像をＸＹ方向に順にスキャンを行い、画像における輝度分布を取得する。制御部７０は、取得した輝度分布より眼鏡フレームのエッジを検出する。例えば、制御部７０は、取得した輝度分布において、隣り合う画素間での輝度変化量が所定の閾値を越えているか否かに基づいて、エッジを検出する。もちろん、各画素での輝度値が所定の閾値を越えているか否かに基づいて、エッジを検出する構成としてもよい。例えば、制御部７０は、輝度変化量が所定の閾値を越えている場合に、眼鏡フレームのエッジとして検出する。制御部７０は、検出したエッジを眼鏡フレーム位置として検出する。
【００７８】
以上のようにして、眼鏡フレームタイプに基づいた画像解析処理が行われ、眼鏡フレーム位置が好適に検出される。なお、本実施例においては、解析処理方法として、エッジ検出の際の閾値が異なる解析処理方法を用いて画像処理を実施する構成を例に挙げて説明したがこれに限定されない。例えば、異なる解析方法を用いる構成としてもよい。
【００７９】
図７は、撮影画像の解析終了後において表示部１５上に表示される画面の一例を示す図である。図７に示されるように、例えば、制御部７０は、正面画像６２０と、左側方画像６２１と、右側方画像６２２等の撮影画像を表示する。
【００８０】
正面画像６２０は、例えば、被検者の両眼、及び眼鏡フレームの正面画像が含まれる。もちろん、正面画像６２０としては、左右眼の一方の眼及び眼鏡フレームが含まれた状態の正面画像であってもよい。
【００８１】
左側方画像６２１は、側方撮像光学系５００Ｌによって撮像された被検者の顔の左側方画像（側面画像）である。逆にいえば、左側方画像６２１は、被検者と対面する加工者にとって右手方向から被検者を見たときの画像である。左側方画像６２１には、被検者の左眼、及び眼鏡フレームの左側方画像が含まれる。
【００８２】
右側方画像６２２は、側方撮像光学系５００Ｒによって撮像された被検者の顔の右側方画像（側面画像）である。逆にいえば、右側方画像６２２は、被検者と対面する加工者の左手方向から被検者を見たときの画像である。右側方画像６２２には、被検者の右眼、及び眼鏡フレームの右側方画像が含まれる。
【００８３】
例えば、制御部７０は、表示部１５に、画像解析結果として、画像解析において検出された検出結果に基づいて、撮影画像上に眼鏡フレーム位置に指標を重畳表示させる。また、制御部７０は、画像解析処理によって被検者の瞳孔位置を検出し、撮影画像上に被検者の瞳孔位置に指標を重畳表示させる。例えば、制御部７０は、眼鏡フレーム位置を示す指標（眼鏡フレーム位置指標）、被検者の瞳孔位置を示す指標（瞳孔位置指標）Ｐ等を表示させる。例えば、各指標は、表示部１５において、十字マーク、線表示等の種々の表示形態で表示される。なお、本実施例において、眼鏡フレーム位置として、眼鏡フレームの内の所定部位であるレンズ下端ＬＴを表示する場合を例に挙げている。もちろん、眼鏡フレーム位置としては、レンズ下端に限定されない。眼鏡フレーム位置としては、眼鏡フレームに関する部分であれば適用することができる。例えば、眼鏡フレーム位置としては、眼鏡フレーム全体の位置が挙げられる。また、例えば、眼鏡フレーム位置としては、眼鏡フレームの内の所定部位である、レンズの上端（眼鏡フレームの上端）、眼鏡フレームのブリッジ等の位置が挙げられる。
【００８４】
また、例えば、表示部１５には、検出結果に基づいて算出されたアイポジション高さを示す指標（アイポジション高さ指標）ＢＴ、遠方視状態における瞳孔間距離を示す指標（瞳孔間距離指標）ＰＤ等が撮影画像に重畳表示される。例えば、瞳孔間距離ＰＤは、左右の瞳孔中心間の距離である。また、例えば、検出結果に基づいて算出されたアイポジション高さ、瞳孔間距離等は、指標で表示される他に、その測定値が表示部１５の表示画面上に表示される。例えば、表示部１５に表示された測定値表示欄８０には、アイポジション高さ、瞳孔間距離等の測定値が示されている。
【００８５】
以上のように、眼鏡装用パラメータを取得する際に解析処理方法において、眼鏡フレームタイプに基づいて、眼鏡装用パラメータを取得することによって、好適に眼鏡装用パラメータを取得することができる。なお、算出される眼鏡装用パラメータは、上記結果のみに限定されない。種々の眼鏡装用パラメータを算出するようにしてもよい。
【００８６】
例えば、撮影された画像及び解析によって取得された眼鏡装用パラメータは、メモリ７２に記憶される。例えば、加工者によって、図示無き装用データ記憶スイッチが選択されることによって、撮影された画像及び解析によって取得された眼鏡装用パラメータは、メモリ７２に記憶される。もちろん、撮影された画像及び解析によって取得された眼鏡装用パラメータが自動的に記憶される構成としてもよい。
【００８７】
例えば、本実施例において、加工者によって図示無き装用データ記憶スイッチが選択されると、制御部７０は、撮影された画像及び眼鏡装用パラメータを第１装用データとしてメモリ７２に記憶させる。このとき、例えば、制御部７０は、被検者ＩＤを入力できる入力欄を表示させ、加工者に被検者ＩＤを入力させる。例えば、加工者によって被検者ＩＤが入力されると、被検者ＩＤと第１装用データとが関連付けされ、メモリ７２に記憶される。これによって、第１装用データがどの被検者のデータであるのか識別することができる。なお、本実施例においては、被検者ＩＤを装用データを識別するための識別子として入力する構成を例に挙げて説明したがこれに限定されない。例えば、識別子としては、被検者を識別できる情報であればよい。例えば、被検者の氏名、写真等が入力される構成であってもよい。
【００８８】
＜眼鏡レンズの製造（Ｓ７）＞
第１装用データが取得されると、第１装用データに基づいて、眼鏡レンズが製造される（Ｓ７）。なお、第１装用データには、近方視状態の被検者における画像及び眼鏡装用パラメータが含まれていてもよい。なお、本実施例においては、第１装用データに基づいて眼鏡レンズを製造する場合を例に挙げて説明するがこれに限定されない。例えば、第１装用データに基づいて、眼鏡レンズを製造しなくてもよい。この場合、例えば、第１装用データに基づいて、既存の眼鏡レンズ（例えば、眼鏡店が保有している既存の眼鏡レンズ等）から、適正な眼鏡レンズを選択するようにしてもよい。また、例えば、第１装用データに基づいて、後述する眼鏡レンズを加工する際の加工データを補正するようにしてもよい。
【００８９】
第１装用データに基づいて眼鏡レンズを製造する場合、例えば、加工者は、図示無き送信スイッチを選択することによって、眼鏡レンズを製造する製造工場に設けられた外部装置に第１装用データを送信する。なお、例えば、外部の装置に送信するための構成としては、眼鏡装用画像解析装置と接続する構成、無線等によって通信可能な構成、フラッシュＲＯＭ、ＵＳＢメモリ等を用いて外部装置に受信させる構成、等が挙げられる。この場合、例えば、フラッシュＲＯＭ、ＵＳＢメモリ等を用いる場合、加工者は、外部の装置に、取得されたデータが記憶されたフラッシュＲＯＭ、ＵＳＢメモリ等を接続し、外部装置にデータを取得させ、外部装置のメモリに取得したデータを記憶させる。
【００９０】
例えば、第１装用データは、製造工場の外部装置の受信手段によって受信される。例えば、製造工場において、第１装用データに基づいて、眼鏡レンズが設計されて製造される。例えば、第１装用データに基づいて眼鏡レンズが製造されると、製造された眼鏡レンズが加工者に送られる。なお、本実施例においては、製造工場において眼鏡レンズが製造される場合を例に挙げて説明しているがこれに限定されない。例えば、眼鏡装用画像解析装置が設置されている場所（例えば、眼鏡店、工場等）において、眼鏡レンズが製造されるようにしてもよい。
【００９１】
＜眼鏡レンズの加工（Ｓ８）＞
加工者は、製造された眼鏡レンズを受け取ると、眼鏡レンズ加工装置によって、眼鏡レンズの周縁を加工する。例えば、加工者は、眼鏡レンズの加工のための各種パラメータ（例えば、レイアウトデータ、玉型データ、等）を設定する。例えば、眼鏡レンズ加工装置は、設定されたパラメータに基づいて、眼鏡レンズの加工を行う。なお、例えば、眼鏡レンズの加工のための各種パラメータは、第１装用データに基づいて設定されてもよい。また、例えば、眼鏡レンズの加工のための各種パラメータは、第１装用データに基づいて補正されるようにしてもよい。なお、例えば、第１装用データを用いる場合、加工者は、装用データ呼び出し画面において、被検者ＩＤを入力し、第１装用データをメモリ７２から呼び出すようにしてもよい。
【００９２】
＜眼鏡レンズの枠入れ（Ｓ９）＞
眼鏡レンズの加工が完了すると、加工者は、第１装用データを取得する際に被検者が装用した眼鏡フレームに嵌め込む。すなわち、加工者は、眼鏡フレームへの眼鏡レンズの枠入れを行う（Ｓ９）。
【００９３】
＜フィッティング状態調整（Ｓ１０）＞
次いで、加工者は、眼鏡レンズが枠入れされた眼鏡フレームを被検者に装用させ、フィッティング状態の調整を行う（Ｓ１０）。例えば、本実施例において、第１装用データを取得した際のフィッティング状態（フィッティング状態調整（Ｓ２）によって調整されたフィッティング状態）と、眼鏡レンズ枠入れ（Ｓ９）後におけるフィッティング状態調整と、をフィッティング状態確認画面にて確認し、フィッティング状態の調整を行う。
【００９４】
以下、フィッティング状態調整について詳細に説明する。図８は、フィッティング状態調整の動作について説明するフローチャートである。例えば、加工者によって、図示無き切り換えスイッチが選択されることによって、制御部７０は、表示部１５の表示画面をフィッティング状態確認画面へ切り換える（Ｓ１０１）。例えば、加工者は、フィッティング状態確認画面において、装用データ呼出スイッチ９１を選択する。例えば、装用データ呼出スイッチ９１が選択されると、制御部７０は、被検者ＩＤの入力画面を表示する。例えば、加工者は、被検者ＩＤ入力画面において、第１装用データをメモリ７２に記憶させる際に入力した被検者ＩＤを入力する。例えば、被検者ＩＤが入力されると、制御部７０は、メモリ７２から第１装用データをメモリ７２から呼び出し、フィッティング状態確認画面上の第１領域６０に表示する。もちろん、第１装用データを表示する領域としては、第１領域６０に限定されない。例えば、異なる領域（例えば、第２領域６５等）に表示するようにしてもよい。なお、例えば、第１装用データを呼び出す際には、被検者ＩＤが一覧表示され、加工者によって選択される構成としてもよい。
【００９５】
例えば、本実施例において、第１装用データとしては、撮影画像及び眼鏡装用パラメータが表示される。図９は、フィッティング状態確認画面の一例を示す図である。図９に示されるように、例えば、表示部１５に表示されたフィッティング状態確認画面において、第１装用データの第１撮影画像（第１画像）が画像表示欄９０に表示される。例えば、第１撮影画像としては、第１正面画像６２０ａと、第１左側方画像６２１ａと、第１右側方画像６２２ａ等の撮影画像を表示される。また、例えば、フィッティング状態確認画面において、第１装用データの第１眼鏡装用パラメータが測定値表示欄８０ａに表示される。なお、装用データの表示レイアウトはこれに限定されない。任意のレイアウトで装用データを表示するようにしてもよい。
【００９６】
例えば、加工者は、第１装用データを呼び出した後、眼鏡レンズが枠入れされた眼鏡フレームを被検者に装用させる。例えば、加工者は、被検者が眼鏡フレームを装用した後、眼鏡フレームと被検者との相対位置を変更することよってフィッティング状態の調整を行う（Ｓ１０２）。なお、例えば、フィッティング状態調整（Ｓ１０２）は、上記記載のフィッティング状態調整（Ｓ２）と同様にして行われる。
【００９７】
例えば、フィッティング調整完了後、加工者は被検者を撮影するための調整を行う。例えば、加工者は、フィッティング状態確認画面における撮影画面切り換えスイッチ９２を選択する。例えば、制御部７０は、撮影画面切り換えスイッチ９２が選択されると、フィッティング状態確認画面を撮影画面へと切り換える。これによって、画像が撮影できる状態となる。例えば、加工者は、被検者を顔支持ユニット５に位置させる。加工者は、眼鏡装用画像解析装置１に対して被検者の顔が所定位置に配置されるように顔支持ユニット５の調整を行う。すなわち、加工者は、アライメント調整を行う（Ｓ３）。なお、アライメント調整（Ｓ１０３）は、上記記載のアライメント調整を行う（Ｓ３）と同様にして行われる。
【００９８】
例えば、被検者のアライメント調整が完了すると、加工者は、表示部１５に表示された図示無き撮影ボタンをタッチする。撮影ボタンがタッチされると、制御部７０は、遠方視状態の被検者の画像（正面画像及び側方画像）を撮影する（Ｓ１０４）。
【００９９】
例えば、画像が取得されると、制御部７０は、取得した画像の解析処理を行う（Ｓ１０５）。なお、例えば、画像解析処理（Ｓ１０５）は、上記記載の画像解析処理（Ｓ５）と同様にして行われる。そして、制御部７０は、検出結果に基づいて、眼鏡フレームに対する被検眼Ｅの眼鏡装用パラメータを算出する（Ｓ１０６）。なお、例えば、眼鏡装用パラメータ取得（Ｓ１０６）は、上記記載の眼鏡装用パラメータ取得（Ｓ６）と同様にして行われる。
【０１００】
例えば、撮影された画像及び解析によって取得された眼鏡装用パラメータは、メモリ７２に記憶される。例えば、加工者によって、図示無き装用データ記憶スイッチが選択されることによって、撮影された画像及び解析によって取得された眼鏡装用パラメータは、メモリ７２に記憶される。もちろん、撮影された画像及び解析によって取得された眼鏡装用パラメータが自動的に記憶される構成としてもよい。
【０１０１】
例えば、本実施例において、加工者によって図示無き装用データ記憶スイッチが選択されると、制御部７０は、撮影された画像及び眼鏡装用パラメータを第２装用データとしてメモリ７２に記憶させる。制御部７０は、第２装用データをメモリ７２に記憶させた後、表示部１５の表示画面をフィティング状態確認画面に切り換える。もちろん、加工者によって、切り換えスイッチが選択され、フィッティング状態確認画面に切り換える構成としてもよい。
【０１０２】
図１０は、第２装用データ取得後のフィッティング状態確認画面の一例を示す図である。例えば、制御部７０は、フィッティング状態確認画面に切り換えた後、第２装用データをメモリ７２にから呼び出し、フィッティング状態確認画面における第２領域６５に表示する。なお、本実施例においては、第２装用データをメモリ７２に記憶させる構成を例に挙げているがこれに限定されない。例えば、制御部７０は、第２装用データをメモリ７２に記憶させることなく、フィッティング状態確認画面に切り換えた後、フィティング状態確認画面における第２領域６５に表示するようにしてもよい。なお、本実施例においては、第２装用データは、フィッティング状態確認画面において、第１装用データを呼び出すことによって、撮影された第２装用データが第１装用データと同一の被検者の装用データであると特定され、記憶されるようになっている。もちろん、第２装用データをメモリ７２に記憶させる際に、例えば、制御部７０は、被検者ＩＤを入力できる入力欄を表示させ、加工者に被検者ＩＤを入力させるようにしてもよい。
【０１０３】
例えば、図１０に示されるように、制御部７０は、第１装用データとともに第２装用データを同一画面上に並べて表示することによって、第１装用データと第２装用データとを比較可能にする（Ｓ１０７）。もちろん、第２装用データを表示する領域としては、第２領域６５に限定されない。例えば、異なる領域（例えば、第１領域６０等）に表示するようにしてもよい。
【０１０４】
例えば、本実施例において、第２装用データとしては、撮影画像及び眼鏡装用パラメータが表示される。図１０に示されるように、例えば、表示部１５に表示されたフィッティング状態確認画面において、第２装用データの第２撮影画像（第２画像）が画像表示欄９５に表示される。例えば、第２撮影画像としては、第２正面画像６２０ｂと、第２左側方画像６２１ｂと、第２右側方画像６２２ｂ等の撮影画像を表示される。また、例えば、フィッティング状態確認画面において、第２装用データの第２眼鏡装用パラメータが測定値表示欄８０ｂに表示される。なお、装用データの表示レイアウトはこれに限定されない。任意のレイアウトで装用データを表示するようにしてもよい。
【０１０５】
例えば、加工者は、表示部１５に表示されたフィッティング状態確認画面における第１装用データと、第２装用データと、を確認し、フィッティング状態が適正であるか否かを判定する（Ｓ１０８）。
【０１０６】
なお、加工者によるフィッティング状態の判定をより容易にするために、第１装用データと、第２装用データとの差分データを取得し、表示するようにしてもよい。例えば、差分データとしては、数値、色、グラフィックの種々の形態で表示するようにしてもよい。例えば、差分データとして、数値を表示する場合に、眼鏡装用パラメータの差分（ずれ量）を算出して表示するようにしてもよいし、画像間のずれ量を算出して表示するようにしてもよい。また、例えば、差分データとして、色で差分を表示する場合には、ずれ量に応じて色を変更して表示するようにしてもよい。なお、例えば、色表示は、撮影画像の表示領域及び眼鏡装用パラメータの表示領域と異なる領域に表示するようにしてもよいし、重畳表示するようにしてもよい。また、例えば、差分データとして、グラフィックで差分を表示する場合には、画像間でのずれ量を算出し、撮影画像のずれが生じている位置にグラフィックを重畳表示するようにしてもよい。このように、例えば、第１装用データと第２装用データとから差分データを取得し、出力することによって、加工者はフィッティング状態のずれを容易に確認することができる。
【０１０７】
なお、本実施例においては、装用データとしては、撮影画像及び眼鏡装用パラメータが表示される場合を例に挙げて説明しているがこれに限定されない。装用データとしては、種々の装用データとの組み合わせが可能である。例えば、第１装用データ及び第２装用データとして、第１画像、第２画像、及び差分データが表示される構成であってもよい。
【０１０８】
なお、本実施例においては、加工者が第１装用データと、第２装用データと、を確認し、フィッティング状態が適正であるか否かを判定する場合を例に挙げているがこれに限定されない。例えば、制御部７０が、第１装用データと第２装用データの差分データを取得し、差分データに基づいて、フィッティング状態が適正であるか否かを判定するようにしてもよい。この場合、例えば、制御部７０が、第１装用データと第２装用データにおける画像間のずれ量を算出し、ずれ量が所定の閾値以上であるか否かに基づいて、フィッティング状態が適正であるか否かを判定するようにしてもよい。また、この場合、例えば、制御部７０が、第１装用データと第２装用データにおける眼鏡装用パラメータの差分（差分値）を算出し、差分が所定の閾値以上であるか否かに基づいて、フィッティング状態が適正であるか否かを判定するようにしてもよい。
【０１０９】
例えば、加工者は、フィッティング状態が適正でないと判定した場合に、再度、フィッティング調整（Ｓ１０２）を行う。例えば、加工者は、フィッティング状態が適正となるまで、フィッティング状態調整（Ｓ１０２）から第１装用データと第２装用データとを比較表示（Ｓ１０７）までのステップを繰り返し行う。例えば、加工者は、フィッティング状態が適正であると判定した場合、フィッティング状態調整を終了する。以上のようにして、フィッティング状態調整（Ｓ１０）が完了すると、眼鏡の製作が完了する。
【０１１０】
このように、例えば、撮影装置によって撮影された眼鏡フレームを装用した被検者の第１装用データと、第１装用データと異なる日時にて撮影装置によって撮影された眼鏡フレームを装用した被検者の第２装用データと、を比較可能に出力することによって、加工者は、被検者のフィッティングの状態を確認することができ、フィッティング状態の調整を容易に好適に行うことができる。また、例えば、上記構成によって、加工者は、眼鏡を製作する際に撮影された装用データと、眼鏡を製作した後の装用データを比較でき、眼鏡を製作前（眼鏡装用パラメータを算出した際）におけるフィッティングの状態を、眼鏡製作後でも容易に再現することが可能となる。また、例えば、上記構成によって、加工者は、被検者が製作した眼鏡を一定期間使用している間に、眼鏡の製作の完了時からフィッティング状態がずれることによって、眼鏡が使用しづらくなった場合であっても、眼鏡製作の完了時のフィッティング状態とのずれを容易に確認することができるため、眼鏡製作の完了時のフィッティング状態を容易に再現することができる。また、例えば、上記構成は、加工者によって異なる日時でフィッティング状態が調整され、撮影された装用パラメータ間の比較を行うことができるため、加工者のフィッティング技術を向上させるために用いることができる。すなわち、加工者自身又はその他の加工者（例えば、熟練の加工者）によって過去にフィッティング状態を調整した際に取得された装用パラメータと、現在において加工者がフィッティング状態を調整した際に取得された装用パラメータと、の比較ができるため、加工者は、装用パラメータ間で、フィッティングの調整に大きなずれが生じていないか確認することができ、加工者に一定のフィッティング状態を再現させるための加工者のフィッティング状態の調整のトレーニングを行うことができる。
【０１１１】
また、本実施例において、例えば、第１装用データと、第２装用データと、を比較可能に表示することによって、加工者は表示画面上で迅速にフィッティングの状態を確認することができる。また、例えば、フィテッィング状態確認後、再調整を行った後に、表示画面上で、迅速にフィッティングの状態を確認することができる。
【０１１２】
また、本実施例において、例えば、第１装用データとして第１画像と第１眼鏡装用パラメータが含まれるとともに、第２装用データとして第２画像と第２眼鏡装用パラメータが含まれることによって、加工者は第１画像と第１眼鏡装用パラメータと、第２画像と第２眼鏡装用パラメータと、を比較して、フィッティング状態を確認することができる。加工者は、画像と眼鏡装用パラメータの双方を確認しながら、フィッティング状態を確認することができるため、フィッティング状態をより精度よく、より容易に、確認をすることができる。
【０１１３】
＜変容例＞
なお、本実施例においては、第１装用データをフィッティング状態確認画面に呼び出した後、第２装用データを取得する構成を例に挙げて説明しているがこれに限定されない。例えば、第１装用データを呼び出す前に第２装用データの取得を行うようにしてもよい。この場合、被検者の撮影を行い、第２装用データを取得後、第１装用データを呼び出すようにしてもよい。
【０１１４】
なお、本実施例のおいては、第１装用データと第２装用データとが比較可能に出力することによって、フィッティング状態を容易に確認する場合を例に挙げて説明したがこれに限定されない。例えば、加工者は、第１装用データと、眼鏡レンズが枠入れされた眼鏡フレームを被検者に装用させたフィッティング状態と、の比較を行うことによって、フィッティング状態を調整するようにしてもよい。この場合、例えば、加工者は、出力された第１装用データを確認しながら、眼鏡レンズが枠入れされた眼鏡フレームを被検者に装用させて、フィッティング状態を行うようにしてもよい。
【０１１５】
なお、本実施例においては、第１装用データと第２装用データとを比較可能に出力する構成を例に挙げて説明したがこれに限定されない。同一の被検者に対して、複数の装用データが記憶できる構成としてもよい。この場合、例えば、加工者は、メモリ７２に記憶された複数の装用データからフィッティング状態を確認する際に用いる（比較可能に出力する）装用データを選択するようにしてもよい。
【０１１６】
なお、第１装用データ及び第２装用データの画像を比較する場合に静止画像を用いる構成を例に挙げているがこれに限定されない。第１装用データ及び第２装用データの画像は、少なくともいずれかが動画像であってもよい。例えば、一例として、第１装用データを静止画像で表示し、第２装用データは、動画像で表示するようにしてもよい。この場合、例えば、第２装用データして、撮影中の第２画像をリアルタイムに更新して表示していくとともに、第２画像でリアルタイム解析しながら、随時、算出された第２眼鏡装用パラメータを更新して表示していくようにしてもよい。
【０１１７】
なお、眼鏡装用パラメータの取得に用いられる正面画像及び側方画像は、１つの画像から、眼鏡フレーム及び被検者の眼が検出される構成に限定されない。複数の撮影画像から眼鏡フレームと被検者の眼が検出されて、眼鏡装用パラメータが取得される構成としてもよい。この場合、例えば、正面画像として、複数の正面画像（左眼正面画像、右眼正面画像等）が撮影され、左眼と右眼の眼鏡装用パラメータがそれぞれ取得される構成が挙げられる。また、例えば、眼鏡フレームを撮影した撮影画像と、被検者の眼を撮影した撮影画像と、の複数の撮影画像が取得され、眼鏡フレーム情報と、被検者の瞳孔情報と、をそれぞれ取得し、眼鏡装用パラメータを取得する構成が挙げられる。
【０１１８】
なお、本実施例において、眼鏡装用パラメータは、画像解析によって自動で検出される構成を例に挙げて説明したがこれに限定されない。例えば、眼鏡装用パラメータは、手動及び自動によって検出される構成としてもよい。手動及び自動で検出される場合、自動で撮影画像の画像解析が行われ、図７に示されるように撮影画像上に検出結果に基づいた指標が表示される。ここで、加工者は、撮影画像に表示された指標を表示された位置から、操作ユニット１０を操作することによって指標を移動させ、指標が移動された位置での結果を眼鏡装用パラメータとして取得する。すなわち、指標の移動に連動して、測定値表示欄８０の測定値も変更される。
【０１１９】
なお、本実施例において、眼鏡装用パラメータを示す各指標が、撮影画像に重畳表示される場合を例に挙げて説明したがこれに限定されない。眼鏡装用パラメータを示す各指標は、表示部１５の表示画面上に表示される構成であればよい。
なお、本実施例において、撮影画像と眼鏡装用パラメータはそれぞれ別の領域に表示される構成を例に挙げて説明しているがこれに限定されない。撮影画像上に眼鏡装用パラメータの数値を重畳表示させるようにしてもよい。
【０１２０】
なお、本実施例においては、反射ミラー４１０の角度を変更させることによって、固視標の呈示位置を変更する光学系を用いて撮影した画像に対して、画像解析処理を行う構成を例に挙げて説明したが、これに限定されない。本実施例の画像解析処理は、眼鏡を装用した被検者を撮影した画像に対して適用することができる。すなわち、画像を撮影するための光学系としては、本実施例の光学系に限定されず、種々の光学系を適用してもよい。
【０１２１】
なお、本実施例においては、左右側の側方画像を取得するために、側方撮影光学系５００として、被検者の左側に配置される左方撮影光学系５００Ｌと、被検者の右側に配置される右方撮影光学系５００Ｒをそれぞれ備える構成としたがこれに限定されない。１つの撮影光学系が兼用される構成としてもよい。例えば、左右側の側方画像を取得するために、１つの側方撮影光学系が用いられている構成であってもよい。この場合、例えば、反射ミラーの駆動等によって左右の側方を撮影する構成、側方撮影光学系が移動をすることによって左右の側方を撮影する構成、等が挙げられる。また、例えば、正面画像撮影用の測定光学系を用いて、左右側の側方画像が取得される構成としてもよい。この場合、例えば、正面画像撮影用の光学系が移動されることによって、左右側の側方画像が取得される構成が挙げられる。
【０１２２】
なお、本実施例においては、遠用測定光学系２００と近用測定光学系３００が別途設けられる構成としたがこれに限定されない。少なくとも一方の光学系を用いて、遠方視状態又は近方視状態の画像が撮影される構成としてもよい。この場合、例えば、遠方視状態又は近方視状態の画像の一方から取得された眼鏡装用パラメータに基づいて、他方の眼鏡装用パラメータを取得するようにしてもよい。
【０１２３】
なお、本実施例に開示の技術は、アタッチメントやシール等を眼鏡フレーム取り付け、眼鏡装用パラメータを取得する装置においても、適用することができる。例えば、アタッチメントやシール等が眼鏡フレーム取り付けられ、撮影された撮影画像において、それらの目印を検出する際に、本実施例に開示の技術を用いる。
【０１２４】
なお、本実施例の眼鏡装用画像解析装置１は、複数の撮像光学系を備え、被検者の画像を撮影するものとした。しかしながら、この構成に限らない。例えば、撮像光学系を備えていなくともよい。この場合、装置外部の撮像光学系によって撮影された被検者の装用データを種々のデータ通信手段によって受信する。そして、受信した画像を基に、被検者の眼鏡装用パラメータを測定して、装用データを取得するようにしてもよい。
【０１２５】
なお、本発明においては、本実施例に記載した装置に限定されない。例えば、上記実施例の機能を行う眼鏡装用画像解析ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【符号の説明】
【０１２６】
１  眼鏡装用パラメータ測定装置
５  顔支持ユニット
１０  操作ユニット
１５  表示部
７０  制御部
７２  メモリ
２００  遠用測定光学系
３００  近用測定光学系
４００  光路切換ユニット
５００  側方撮影光学系
【図１】
2017181657.tif 000003
【図２】
2017181657.tif 000004
【図３】
2017181657.tif 000005
【図４】
2017181657.tif 000006
【図５】
2017181657.tif 000007
【図６】
2017181657.tif 000008
【図７】
2017181657.tif 000009
【図８】
2017181657.tif 000010
【図９】
2017181657.tif 000011
【図１０】
2017181657.tif 000012